(57)【要約】      （修正有）【課題】自由に発声が可能であり、眼鏡部が曇らない目鼻マスクを提供する。【解決手段】目の前方に透明硬質材の窓１をもうけ、鼻と目を覆い、マスクの上方にフイルタ付の空気取り入れ口７をもうける。【選択図】図１
2005074045.tif 000002
【特許請求の範囲】
【請求項１】
図1斜視図に示す鼻と目を覆って上方にフイルタを使用する、なぜ空気取り入れ口7フイルタ、マスクを上にするかと言えば空気を鼻で吸うと上から下鼻穴に向かって空気の流れが出来、眼鏡部分が曇らないのであるこの為に目の上2箇所に空気取り入れ口を設けてある。
【請求項２】
図1斜視図7は防塵用フイルタを使用して、防塵、スギ花粉など排除できる状態の絵である、フイルタは粘着剤で貼り合わせ取替えの出来る事を特徴である。
【請求項３】
防塵マスク、花粉などの排除であれば、眼の前方部方に位置する透明硬質材部分と、3外枠部分合成樹脂で一対の物に造り軽くて使用し易い鼻目マスクが出来る。
【請求項４】
斜視図1で見る5つまみネジは、拡大鏡又は電気溶接する時、12紫外線を避けるカバ等を取り付け使用するのである、この場合3外枠部分を丈夫にする必要がある為合成ゴム、又は合成樹脂など等で製作するのである、電機溶接をする時に出る火花が1眼鏡部に当る用な作業の場合などガラスを2はめ込んだものを使用する。
【請求項５】
図3、8斜線部分は粘着剤で図2フイルタを載せ貼り合わせ取替えの出来るようにした、図2フイルタは9防塵、10煙避け、11ガス避け等にあったフイルタを使用する事である、又図5の横顔で見るようにフイルタをカプセルに入れ15案内缶パイプで外枠部分に繋ぐこのため二種類の外枠で構成する。
【請求項６】
図5横顔は、図1とは異なり7空気取り入れ口防塵フイルタ部分に図7ジョイントボックス、又は3外枠部分から15案内缶パイプビニル、ゴム砲吸などでつなぐ、5つまみネジの箇所に高性能、煙、ガスフイルタを左右に取り付け15パイプでつなぐ空気を吸い込めば15案内缶パイプを通り鼻孔の方向に向かって空気が流れ呼吸が出来る、こうする事によりヘルメットを着けてもフイルタ部分に当ることがない又、フイルタ、カプセルを工夫する事で雨天時に雨水の浸入が阻止出来るのである。
【発明の詳細な説明】
【技術分野】
【０００１】
本発明は図1斜視図に示すように鼻と目を覆ってマスクとして使用する物である、
図4に示す3外枠部分が重要である顔に接する部分から空気が入らないように密着性の良い素材でなければ成らないのである、この為に柔軟製のある柔らかく顔のくっ付く素材で作る事が必要である。
【背景技術】
【０００２】
従来のマスクは鼻と口とにカブサリ弁が付いている、空気を吸い込み吐き出す時には弁が閉じ外に俳出される仕組みである、この方法では息苦しくかんじら出る又声を出すことが出来ない、又目を保護するには別に保護眼鏡を使用する必要がある、この点では鼻目マスクは優れている息をするのも容易に出来る。
【特許文献１】特開2003−169821
【０００３】
従来よく似たゴーグル、はマスクではない、眼の上部分が似てはいるが防塵眼鏡だけであり空気の通気孔は開いているがこの方法は自然換気で曇り止めとしているのである、鼻目マスクの違いは鼻から空気を吸い込み空気の流れを利用して曇りを解消しているのである、逆に息をした場合に眼鏡部分に曇りが出来ても深呼吸することで内部の曇りはすぐ解消するのである。
【特許文献２】特開2001−61979
【発明の開示】
【発明が解決しようとする課題】
【０００４】
本発明は、鼻と目を覆って鼻で息を吸い込み口から吐き出す、深呼吸をするようにして使用するのである、最近では地下街が増え又ビル街などの火災が多いようである、鼻目マスクは地下街、ビル火災などの災害時に使用する事が出来る、
従来のマスクでは目の部分が保護できない、鼻目マスクはこの点ではいろんな作業用としても使用することが出来ることである、この様な事で地下街、ホテル、高層ビルなどに供えておけば災害時には有効である。
又、電気溶接をする時、図5横顔で示す絵の様に頭にヘルメットを着用して紫外線カバ取り付け作業する事ができる。
【課題を解決するための手段】
【０００５】
図4斜視図は、鼻目マスクの外枠部分である、水中眼鏡のようにも見えるが違います3の外枠部分は水ではなく空気が入るのを阻止して開口部分から空気を取り入れ、7開口部の上にマスク用のフイルタをくっ付けて使用するのである、3外枠部分で顔に接する部分を接着剤でくっ付けて使用することも出来るが肌荒れを起こす人もある、図4斜視図の外枠部分を柔らかく空気の入らない素材で作り4ゴムバンドで締め付けて使用するのである、又6の点線部分の箇所だけは特に薄くして上唇に圧力が，かからないようにする、声を出す時に唇の動きが容易に出来る様にする硬い物であると唇が押し付けられ口が開くようになる。
【発明の効果】
【０００６】
図5、鼻目マスクを付けて作業をする時良く見える拡大鏡を使えば細かい作業にも適している又、電気溶接する時、煙、ガスを吸い込まないし12紫外線避けカバを手で持たなくても容易に作業が出来る5のつまみネジの所に取り付けるからである、防塵マスクとして使用する時も目に粉塵など入る事はないのである、口は自分で意識をしていれば良いのである。
【発明を実施するための最良の形態】
【０００７】
図5横顔は16フイルタを収めるカプセルである、図6、17部分が5つまみネジの箇所に付く15吸引パイプは図4の外枠上部に繋ぎ箇所を設けて、12パイプを差込方式として取り外しが容易に出来るカプセル交換が出来やすくした。
【０００８】
図5の溶接カバを付けヘルメットを着用して横から見た絵図である、12紫外線溶接カバを付けると鼻目マスク外枠部分に加重りがかかる為14点線で示す頭上から4ゴムバンドに繋げて鼻目マスクの眼鏡上で止めてカバの重りを支えるのである、鼻目マスクを着け頭にヘルメットをかぶって作業が出来る、16フイルタカプセルも絵で見るよう構成されている為、雨天の時でも使用できるのである、又12カバを上に回すと帽子の円の様になる。
【０００９】
図7、この絵図では図3の8粘着剤部分に接着剤でくっ付けて図6の15パイプと接続してフイルタ、カプセルを使用することが出来るジョイントボックスである、これを使用する事で雨天の時雨水の浸入を防ぐことが出来る。
【図面の簡単な説明】
【００１０】
【図１】鼻目マスクの斜視図である。
【図２】マスク、フイルタの順序絵である。
【図３】鼻目マスクの上から見た絵である。
【図４】鼻目マスクの外枠斜視図である。
【図５】電気溶接紫外線避けカバを付けた横顔。
【図６】フイルタ、カプセル。
【図７】ジョイントボックス
【符号の説明】
【００１１】
1    ガラス、又はアクリル
2    ガラスはめ込み枠
3    外枠
4    ゴムバンド
5    つまみネジ
6    上唇の当り部分
7    開口部、空気取り入れ口
8    貼り合わせ部分
9    防塵避けフイルタ
10    煙避けフイルタ
11    ガス避けフイルタ
12    点線部分は拡大鏡、紫外線避けカバ
13    ゴムバンド留めブロック
14    釣りバンド
15    パイプ
16    フイルタ、カプセル
17    引掛り5つまみネジに止める
18    ジョイント、ボックス
【図１】
2005074045.tif 000003
【図２】
2005074045.tif 000004
【図３】
2005074045.tif 000005
【図４】
2005074045.tif 000006
【図５】
2005074045.tif 000007
【図６】
2005074045.tif 000008
【図７】
2005074045.tif 000009